【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
複数の部分からなるドキュメントの一部分へのアクセスを制御するための方法であって、
コンピューティング装置によって、前記ドキュメントの一部分にアクセスするためのリクエストを受け付けることと、
前記コンピューティング装置によって、該リクエストされたドキュメントの一部分へのアクセスを提供するかどうかを、該ドキュメントの他の部分への過去のアクセスを記述するデータに基づき決定することと、
前記コンピューティング装置によって、前記決定に基づき前記リクエストに応答することと
からなる方法。
【請求項２】
前記過去のアクセスを記述するデータが該ドキュメントの１又は複数の前記他の部分へのアクセスが提供されたことを示していることに応じて、前記リクエストされたドキュメントの一部分へのアクセスが否定されることを特徴とする請求項１に記載の方法。
【請求項３】
前記過去のアクセスを記述するデータが該ドキュメントの前記他の部分の大部分へのアクセスが提供されたことを示していることに応じて、前記リクエストされたドキュメントの一部分へのアクセスが否定されることを特徴とする請求項１に記載の方法。
【請求項４】
前記過去のアクセスを記述するデータが前記リクエストされたドキュメントの一部分以外の全ての前記他の部分へのアクセスが提供されたことを示していることに応じて、前記リクエストされたドキュメントの一部分へのアクセスが否定されることを特徴とする請求項１に記載の方法。
【請求項５】
前記過去のアクセスを記述するデータが、前記リクエストされたドキュメントの一部分へのアクセスを提供するのよりも高い頻度で該ドキュメントの１又は複数の前記他の部分へのアクセスが提供されたことを示していることに応じて、前記リクエストされたドキュメントの一部分へのアクセスが否定されることを特徴とする請求項１に記載の方法。
【請求項６】
前記過去のアクセスを記述するデータが、前記リクエストされたドキュメントの一部分へのアクセスを提供するのよりも多い機会で該ドキュメントの１又は複数の前記他の部分へのアクセスが提供されたことを示していることに応じて、前記リクエストされたドキュメントの一部分へのアクセスが否定されることを特徴とする請求項１に記載の方法。
【請求項７】
前記過去のアクセスを記述するデータが該ドキュメントの１又は複数の前記他の部分へのアクセスが提供されていないことを示していることに応じて、前記リクエストされたドキュメントの一部分へのアクセスが許可されることを特徴とする請求項１に記載の方法。
【請求項８】
前記過去のアクセスを記述するデータが、前記リクエストされたドキュメントの一部分へのアクセスを提供するのよりも高い頻度で該ドキュメントの１又は複数の前記他の部分へのアクセスが提供されていないことを示していることに応じて、前記リクエストされたドキュメントの一部分へのアクセスが許可されることを特徴とする請求項１に記載の方法。
【請求項９】
前記過去のアクセスを記述するデータが、前記リクエストされたドキュメントの一部分へのアクセスを提供するのよりも多い機会で該ドキュメントの１又は複数の前記他の部分へのアクセスが提供されていないことを示していることに応じて、前記リクエストされたドキュメントの一部分へのアクセスが許可されることを特徴とする請求項１に記載の方法。
【請求項１０】
前記リクエストされたドキュメントの一部分へのアクセスを提供するかどうかを、該ドキュメントの他の部分への過去のアクセスを記述するデータに基づき決定することは、該ドキュメントの他の部分への過去のアクセスを記述するデータに基づき且つ更に該ドキュメントの他の部分への過去のリクエストを記述するデータに基づき、前記リクエストされたドキュメントの一部分へのアクセスを提供するかどうかを決定することを特徴とする請求項１に記載の方法。
【請求項１１】
前記リクエストされたドキュメントの一部分へのアクセスを提供するかどうかを、該ドキュメントの他の部分への過去のアクセスを記述するデータに基づき決定することは、該ドキュメントの他の部分への過去のアクセスを記述するデータに基づき且つ更に前記リクエストされたドキュメントの一部分への過去のアクセスを記述するデータに基づき、前記リクエストされたドキュメントの一部分へのアクセスを提供するかどうかを決定することを特徴とする請求項１に記載の方法。
【請求項１２】
前記リクエストされたドキュメントの一部分へのアクセスを提供するかどうかを、該ドキュメントの他の部分への過去のアクセスを記述するデータに基づき決定することは、該ドキュメントの他の部分への過去のアクセスを記述するデータに基づき且つ更に前記リクエストされたドキュメントの一部分への過去のリクエストを記述するデータに基づき、前記リクエストされたドキュメントの一部分へのアクセスを提供するかどうかを決定することを特徴とする請求項１に記載の方法。
【請求項１３】
前記リクエストされたドキュメントの一部分へのアクセスを提供するかどうかを、該ドキュメントの他の部分への過去のアクセスを記述するデータに基づき決定することは、該ドキュメントの他の部分への過去のアクセスを記述するデータに基づき且つ更に前記ドキュメントの一部分へのアクセスをリクエストしたユーザに関する情報に基づき、前記リクエストされたドキュメントの一部分へのアクセスを提供するかどうかを決定することを特徴とする請求項１に記載の方法。
【請求項１４】
前記ユーザに関する情報は、該ユーザがログインしたかどうかを示す情報と該ユーザを特定する情報とを含むことを特徴とする請求項１に記載の方法。
【請求項１５】
前記リクエストされたドキュメントの一部分へのアクセスを提供するかどうかを、該ドキュメントの他の部分への過去のアクセスを記述するデータに基づき決定することは、該ドキュメントの他の部分への過去のアクセスを記述するデータに基づき且つ更に前記ドキュメントの一部分へのアクセスをリクエストした当該リクエストに関する情報に基づき、前記リクエストされたドキュメントの一部分へのアクセスを提供するかどうかを決定することを特徴とする請求項１に記載の方法。
【請求項１６】
前記リクエストに関する情報は、前記リクエストが受け付けられた時を示す情報とインターネットプロトコル（ＩＰ）アドレスの情報と含むグループ内の１つであることを特徴とする請求項１５に記載の方法。
【請求項１７】
前記決定に基づき前記リクエストに応答することは、前記リクエストされたドキュメントの一部分へのアクセスを提供しないとの決定に応じて、
前記コンピューティング装置によって、前記リクエストされたドキュメントの一部分を変更することと、
前記コンピューティング装置によって、該変更された部分を提供することと
を含むことを特徴とする請求項１に記載の方法。
【請求項１８】
前記リクエストされたドキュメントの一部分を変更することは、前記リクエストされたドキュメントの一部分を歪めることを含むことを特徴とする請求項１７に記載の方法。
【請求項１９】
複数の部分からなるドキュメントの一部分へのアクセスを制御するための方法であって、
コンピューティング装置によって、前記ドキュメントの一部分にアクセスするためのリクエストを受け付けることと、ここで、前記ドキュメントの一部分は、検索クエリにマッチするドキュメントの一部を含んでおり、
前記コンピューティング装置によって、該リクエストされたドキュメントの一部分へのアクセスを提供するかどうかを、該ドキュメントの他の部分への過去のアクセスを記述するデータに基づき決定することと、
前記コンピューティング装置によって、前記決定に基づき前記リクエストに応答することと
からなる方法。
【請求項２０】
前記決定に基づき前記リクエストに応答することは、前記リクエストされたドキュメントの一部分へのアクセスを提供するとの決定に応じて、前記検索クエリにマッチするドキュメントの一部を提示することを含むことを特徴とする請求項１９に記載の方法。
【請求項２１】
前記決定に基づき前記リクエストに応答することは、前記リクエストされたドキュメントの一部分へのアクセスを提供しないとの決定に応じて、前記検索クエリにマッチするドキュメントの一部を提示しないことを含むことを特徴とする請求項１９に記載の方法。
【請求項２２】
前記決定に基づき前記リクエストに応答することは、前記リクエストされたドキュメントの一部分へのアクセスを提供しないとの決定に応じて、
前記コンピューティング装置によって、前記検索クエリにマッチするドキュメントの一部を変更することと、
前記コンピューティング装置によって、該変更された一部を提示することと
を含むことを特徴とする請求項１９に記載の方法。
【請求項２３】
前記検索クエリにマッチするドキュメントの一部を変更することは、前記ドキュメントの一部を歪めることを含むことを特徴とする請求項２２に記載の方法。
【請求項２４】
複数の部分からなるドキュメントの一部分へのアクセスを制御するために、コンピュータに、
前記ドキュメントの一部分にアクセスするためのリクエストを受け付ける手順と、
該リクエストされたドキュメントの一部分へのアクセスを提供するかどうかを、該ドキュメントの他の部分への過去のアクセスを記述するデータに基づき決定する手順と、
前記決定に基づき前記リクエストに応答する手順と
を実行させるためのコンピュータプログラム。
【請求項２５】
前記過去のアクセスを記述するデータが該ドキュメントの１又は複数の前記他の部分へのアクセスが提供されたことを示していることに応じて、前記リクエストされたドキュメントの一部分へのアクセスが否定されることを特徴とする請求項２４に記載のコンピュータプログラム。
【請求項２６】
前記過去のアクセスを記述するデータが該ドキュメントの前記他の部分の大部分へのアクセスが提供されたことを示していることに応じて、前記リクエストされたドキュメントの一部分へのアクセスが否定されることを特徴とする請求項２４に記載のコンピュータプログラム。
【請求項２７】
前記過去のアクセスを記述するデータが前記リクエストされたドキュメントの一部分以外の全ての前記他の部分へのアクセスが提供されたことを示していることに応じて、前記リクエストされたドキュメントの一部分へのアクセスが否定されることを特徴とする請求項２４に記載のコンピュータプログラム。
【請求項２８】
前記過去のアクセスを記述するデータが、前記リクエストされたドキュメントの一部分へのアクセスを提供するのよりも高い頻度で該ドキュメントの１又は複数の前記他の部分へのアクセスが提供されたことを示していることに応じて、前記リクエストされたドキュメントの一部分へのアクセスが否定されることを特徴とする請求項２４に記載のコンピュータプログラム。
【請求項２９】
前記過去のアクセスを記述するデータが、前記リクエストされたドキュメントの一部分へのアクセスを提供するのよりも多い機会で該ドキュメントの１又は複数の前記他の部分へのアクセスが提供されたことを示していることに応じて、前記リクエストされたドキュメントの一部分へのアクセスが否定されることを特徴とする請求項２４に記載のコンピュータプログラム。
【請求項３０】
前記過去のアクセスを記述するデータが該ドキュメントの１又は複数の前記他の部分へのアクセスが提供されていないことを示していることに応じて、前記リクエストされたドキュメントの一部分へのアクセスが許可されることを特徴とする請求項２４に記載のコンピュータプログラム。
【請求項３１】
前記過去のアクセスを記述するデータが、前記リクエストされたドキュメントの一部分へのアクセスを提供するのよりも高い頻度で該ドキュメントの１又は複数の前記他の部分へのアクセスが提供されていないことを示していることに応じて、前記リクエストされたドキュメントの一部分へのアクセスが許可されることを特徴とする請求項２４に記載のコンピュータプログラム。
【請求項３２】
前記過去のアクセスを記述するデータが、前記リクエストされたドキュメントの一部分へのアクセスを提供するのよりも多い機会で該ドキュメントの１又は複数の前記他の部分へのアクセスが提供されていないことを示していることに応じて、前記リクエストされたドキュメントの一部分へのアクセスが許可されることを特徴とする請求項２４に記載のコンピュータプログラム。
【請求項３３】
前記リクエストされたドキュメントの一部分へのアクセスを提供するかどうかを、該ドキュメントの他の部分への過去のアクセスを記述するデータに基づき決定する前記手順は、該ドキュメントの他の部分への過去のアクセスを記述するデータに基づき且つ更に該ドキュメントの他の部分への過去のリクエストを記述するデータに基づき、前記リクエストされたドキュメントの一部分へのアクセスを提供するかどうかを決定する手順であることを特徴とする請求項２４に記載のコンピュータプログラム。
【請求項３４】
前記リクエストされたドキュメントの一部分へのアクセスを提供するかどうかを、該ドキュメントの他の部分への過去のアクセスを記述するデータに基づき決定する前記手順は、該ドキュメントの他の部分への過去のアクセスを記述するデータに基づき且つ更に前記リクエストされたドキュメントの一部分への過去のアクセスを記述するデータに基づき、前記リクエストされたドキュメントの一部分へのアクセスを提供するかどうかを決定する手順であることを特徴とする請求項２４に記載のコンピュータプログラム。
【請求項３５】
前記リクエストされたドキュメントの一部分へのアクセスを提供するかどうかを、該ドキュメントの他の部分への過去のアクセスを記述するデータに基づき決定する前記手順は、該ドキュメントの他の部分への過去のアクセスを記述するデータに基づき且つ更に前記リクエストされたドキュメントの一部分への過去のリクエストを記述するデータに基づき、前記リクエストされたドキュメントの一部分へのアクセスを提供するかどうかを決定する手順であることを特徴とする請求項２４に記載のコンピュータプログラム。
【請求項３６】
前記リクエストされたドキュメントの一部分へのアクセスを提供するかどうかを、該ドキュメントの他の部分への過去のアクセスを記述するデータに基づき決定する前記手順は、該ドキュメントの他の部分への過去のアクセスを記述するデータに基づき且つ更に前記ドキュメントの一部分へのアクセスをリクエストしたユーザに関する情報に基づき、前記リクエストされたドキュメントの一部分へのアクセスを提供するかどうかを決定する手順であることを特徴とする請求項２４に記載のコンピュータプログラム。
【請求項３７】
前記ユーザに関する情報は、該ユーザがログインしたかどうかを示す情報と該ユーザを特定する情報とを含むことを特徴とする請求項２４に記載のコンピュータプログラム。
【請求項３８】
前記リクエストされたドキュメントの一部分へのアクセスを提供するかどうかを、該ドキュメントの他の部分への過去のアクセスを記述するデータに基づき決定する前記手順は、該ドキュメントの他の部分への過去のアクセスを記述するデータに基づき且つ更に前記ドキュメントの一部分へのアクセスをリクエストした当該リクエストに関する情報に基づき、前記リクエストされたドキュメントの一部分へのアクセスを提供するかどうかを決定する手順であることを特徴とする請求項２４に記載のコンピュータプログラム。
【請求項３９】
前記リクエストに関する情報は、前記リクエストが受け付けられた時を示す情報とインターネットプロトコル（ＩＰ）アドレスの情報と含むグループ内の１つであることを特徴とする請求項３８に記載のコンピュータプログラム。
【請求項４０】
前記決定に基づき前記リクエストに応答する前記手順は、前記リクエストされたドキュメントの一部分へのアクセスを提供しないとの決定に応じて、
前記リクエストされたドキュメントの一部分を変更する手順と、
該変更された部分を提供する手順と
を前記コンピュータに実行させることを含むことを特徴とする請求項２４に記載のコンピュータプログラム。
【請求項４１】
前記リクエストされたドキュメントの一部分を変更する前記手順は、前記リクエストされたドキュメントの一部分を歪める手順を前記コンピュータに実行させることを含むことを特徴とする請求項４０に記載のコンピュータプログラム。
【請求項４２】
複数の部分からなるドキュメントの一部分へのアクセスを制御するために、コンピュータに、
前記ドキュメントの一部分にアクセスするためのリクエストを受け付ける手順と、ここで、前記ドキュメントの一部分は、検索クエリにマッチするドキュメントの一部を含んでおり、
該リクエストされたドキュメントの一部分へのアクセスを提供するかどうかを、該ドキュメントの他の部分への過去のアクセスを記述するデータに基づき決定する手順と、
前記決定に基づき前記リクエストに応答する手順と
を実行させるためのコンピュータプログラム。
【請求項４３】
前記決定に基づき前記リクエストに応答する前記手順は、前記リクエストされたドキュメントの一部分へのアクセスを提供するとの決定に応じて、前記検索クエリにマッチするドキュメントの一部を提示する手順を前記コンピュータに実行させることを含むことを特徴とする請求項４２に記載のコンピュータプログラム。
【請求項４４】
前記決定に基づき前記リクエストに応答する前記手順は、前記リクエストされたドキュメントの一部分へのアクセスを提供しないとの決定に応じて、前記検索クエリにマッチするドキュメントの一部を提示しないことを特徴とする請求項４２に記載のコンピュータプログラム。
【請求項４５】
前記決定に基づき前記リクエストに応答する前記手順は、前記リクエストされたドキュメントの一部分へのアクセスを提供しないとの決定に応じて、
前記検索クエリにマッチするドキュメントの一部を変更する手順と、
該変更された一部を提示する手順と
を前記コンピュータに実行させることを含むことを特徴とする請求項４２に記載のコンピュータプログラム。
【請求項４６】
前記検索クエリにマッチするドキュメントの一部を変更する前記手順は、前記ドキュメントの一部を歪める手順を前記コンピュータに実行させることを含むことを特徴とする請求項４５に記載のコンピュータプログラム。
【手続補正２】
【補正対象書類名】明細書
【補正対象項目名】０００２
【補正方法】変更
【補正の内容】
【０００２】
本出願は、２００４年１０月１日に出願された「コンテンツへのアクセスの可変的制御」と題する米国特許出願第１０／９５６，５６４号の優先権を主張する。本出願は、以下の同時継続出願、すなわち、２００４年９月２２日に出願された「コンテンツのセキュリティのためのイメージ変形」と題する米国特許出願第１０／９４８，７３４号（米国特許第７５６１７５５号）と、２００４年９月３０日に出願された「アクセス特権ドキュメントに基づく可変的なユーザインタフェース」と題する米国特許出願第１０／９５３，４９６号とに関連する。これらの出願は、参照によりそのまま本出願に組み込まれる。
【手続補正３】
【補正対象書類名】明細書
【補正対象項目名】００２６
【補正方法】変更
【補正の内容】
【００２６】
別の実施形態では、過去において最も高い頻度で要求された部分は、将来的に絶対的にアクセス可能として指定されるが、過去において最も低い頻度で要求された部分は、将来的にアクセス不可として指定される。残りの部分は可変的にアクセス可能として指定される。このようにして指定を決定することにより、ユーザの経験は高められる。ほとんど常に、ユーザが興味を持つ部分は、絶対的にアクセス可能（あるいは可変的にアクセス可能）として指定されるであろう。したがって、その部分はユーザに提供される権限を与えられる（あるいはそのような権限を与えられてもよい）。その部分がアクセス不可として指定される見込みはない。しかしながら、アクセス不可の指定が常に少なくとも一つの部分に与えられるので、ユーザは、ドキュメント全体をコピーするのを阻止される。
【手続補正４】
【補正対象書類名】明細書
【補正対象項目名】００２９
【補正方法】変更
【補正の内容】
【００２９】
１．検索コンテクスト
上述のドキュメント指定は検索コンテクスト内で用いられ得る。例えば、ユーザは、検索クエリを入力し、そのクエリを満たすドキュメントのリンクのリストを含む結果を受ける。一実施形態では、リンクをクリックすることによってドキュメント全体を要求する。ユーザがドキュメント内で進んでいくと、そのドキュメントの各部分はその指定に基づいて提供され、あるいは提供されない。別の実施形態では、リンクをクリックすることによってドキュメントの抜粋を要求する。この抜粋は、例えば、クエリを満たすドキュメントの抜粋であればよい。この抜粋が提供されるか否かは、その抜粋を含むドキュメントの１以上の部分の指定により決定される。
【手続補正５】
【補正対象書類名】明細書
【補正対象項目名】００４３
【補正方法】変更
【補正の内容】
【００４３】
部分識別モジュール２１０は、所定の検索抜粋のために、その抜粋を含むドキュメントの１以上の部分を決定する。一実施形態では、部分識別モジュール２１０は、ドキュメントを構成する部分に関する情報を格納するメモリ領域を備える。このメモリ領域は、ドキュメントを構成する部分のリストにそのドキュメントをマッピングするテーブルであればよい。そのドキュメントは、独自の識別子を用いて識別され得る。リストされた部分はそのドキュメントの一つの範囲であればよい。例えば、そのドキュメントがイメージのセットならば、一つの範囲は最初の１０個のイメージであればよい。そのドキュメントがサウンドクリップならば、１つの範囲は最初の１０秒間であればよい。
【手続補正６】
【補正対象書類名】明細書
【補正対象項目名】００５８
【補正方法】変更
【補正の内容】
【００５８】
４．追加の実施形態
一実施形態では、部分の指定は、検索抜粋を提供するか否かの代わりに、検索抜粋をどのように提供するかを示すために用いられる。例えば、「アクセス不可」部分内の検索抜粋は、提供されるものの、「真の」フォーマットで提供されない。本実施形態では、（「アクセス不可」の検索抜粋でさえ提供されるので）ドキュメント全体がユーザに提供可能であるけれども、そのドキュメントは未だに保護されている。なぜならば、そのドキュメントの１以上の部分はその「真の」フォーマットで提供されていないからである。ドキュメントを悪用されるのを防止するためにそのドキュメントを変形することは、２００４年９月２２日に出願された「コンテンツのセキュリティのためのイメージ変形」と題する同時継続米国特許出願第１０／９４８，７３４号（米国特許第７５６１７５５号）においてさらに議論されている。
【手続補正７】
【補正対象書類名】明細書
【補正対象項目名】００６５
【補正方法】変更
【補正の内容】
【００６５】
当業者は、上述の特定の例が本発明の代表的な実施形態を単に例示するものであり、本発明の本質的な特性を逸脱することなく、他の配置、方法、アーキテクチャおよび構造が実施され得ることを認識するであろう。したがって、本発明の開示は、添付の特許請求の範囲に示される本発明の範囲の例証であると意図されるが、本発明の範囲を限定するものではない。
【手続補正８】
【補正対象書類名】図面
【補正対象項目名】図４
【補正方法】変更
【補正の内容】
【図４】
2008515116.tif 000001